(57)【要約】【課題】照射位置の調整の操作性が良い、照明装置の調整装置を提供すること。【解決手段】照明装置１に用いられる調整装置１０は、照明部１１をパン方向及びチルト方向に回動可能に支持し、吊持部材に吊下げられる支持部材１２と、照明部１１をパン方向に正転方向及び逆転方向に回動させる第１回動部材１６と、照明部１１をチルト方向に正転方向及び逆転方向に回動させる第２回動部材１７と、第１回動部材１６及び第２回動部材１７の回動及び停止の外部情報を入力可能に形成された操作部６９〜７２を有し、操作部６９〜７２により入力された外部情報を無線信号Ｍに変換して送信する遠隔操作盤５と、遠隔操作盤５から送信された無線信号Ｍを受信し、この無線信号Ｍに基づいて、第１、第２回動部材１６，１７を駆動して照明部１１を回動させる受信装置１３と、を備える構成とした。【選択図】      図１
2011192548.tif 000002
【特許請求の範囲】
【請求項１】
光を照射可能に形成され、パン方向及びチルト方向に回動可能に支持部材に支持された照明部の照射方向を調整する照明装置の調整装置において、
前記照明部をパン方向及びチルト方向に回動可能に支持する支持部材と、
前記照明部を前記パン方向及び前記チルト方向に回動可能に形成された調整手段と、
前記照明部を回動させる外部情報を入力可能、且つ、この入力された前記外部情報に基づいて前記調整手段を駆動して前記照明部を回動させる指示手段と、
を備えることを特徴とする照明装置の調整装置。
【請求項２】
前記指示手段は、
前記照明部を回動させる外部情報を入力可能、且つ、この入力された外部情報を無線信号に変換して送信する遠隔操作盤と、
前記遠隔操作盤から送信された前記無線信号を受信可能に形成され、受信した前記無線信号に基づいて、前記調整手段を駆動する受信装置と、
を備えることを特徴とする請求項１に記載の照明装置の調整装置。
【請求項３】
前記遠隔操作盤は、前記送信する無線信号の周波数を任意の周波数に変更可能に形成され、
前記受信装置は、前記受信可能な無線信号の周波数を、前記任意の周波数に変更可能に形成されることを特徴とする請求項２に記載の照明装置の調整装置。
【請求項４】
前記遠隔操作盤は、可視光を放射可能な可視光源、及び、前記可視光源の前記可視光の放射方向に沿って赤外線を放射可能な赤外線源を有し、前記任意の周波数の情報を前記赤外線に変換して前記赤外線源から放射可能に形成され、
前記受信装置は、前記赤外線を受信可能な赤外線受信部を有し、前記赤外線受信部で受信した前記赤外線により前記受信可能な無線信号の周波数を変更可能に形成され、
前記可視光源は、前記可視光線を前記赤外線受信部に照射することで、前記赤外線源から放射される前記赤外線を前記赤外線受信部へ指向させることを特徴とする請求項３に記載の照明装置の調整装置。
【発明の詳細な説明】
【技術分野】
【０００１】
本発明は、照明装置の照射方向を任意の照射方向に調整する照明装置の調整装置に関する。
【背景技術】
【０００２】
舞台、テレビスタジオ及びイベント会場等においては、ステージ上の任意の照射エリアに光を照射するために、照明装置が複数用いられる。この照明装置は、天井やトラス構造等の吊下部材と、この吊下部材により複数吊持されたスポットライト等の照明部と、を備えている。また、照明装置は、ステージ上の任意のエリアに光を照射するために、パン方向及びチルト方向の２軸において可動可能に形成された、照明部の照射方向を調整可能な調整装置を有し、この調整装置を介して吊持部材に照明部を接続することで、任意の照射エリアを照射可能に形成されている。
【０００３】
このような照明装置は、所謂スポットライトと呼ばれ、ステージ上の任意の一点（照射エリア）への光の照射用の照明装置と、所謂ムービングスポットライトや演出照明と呼ばれ、照射エリアの演出に用いられる演出用の照明装置と、が知られている。
【０００４】
演出用の照明装置は、例えば、ズーム、シャッターアイリス、光色変更及び装着されたゴボの選択等が制御可能に形成されるとともに、照射方向の制御又は遠隔操作が可能な調整装置を備えたものも知られている。このような演出用の照明装置は、ステージ上へ光を照射しながら、照射方向の変更や光の移動、ズーム及び色変更等、様々な照射条件を制御可能に形成されている。
【０００５】
なお、制御が可能な調整装置を備えた演出用の照明装置として、ステージ上の人物等の照明目標を自動で追尾が可能な照明装置も知られている（例えば特許文献１参照）。しかし、前述した演出用の照明装置は、各機能を有するため、非常に高価である。このため、特定の照射エリアのみを照射するために用いる照明装置には、照射用の照明装置が用いられる。
【０００６】
照射用の照明装置は、ステージの設営時に、照射方向を決定し、任意の照射エリアを照射するものであり、光の照射中に照射エリアを変更することが殆どない。このため、照射用の照明装置は、任意の照射エリアを手動にて調整する調整装置が装着される。なお、手動で照明装置の照射方向を調整する調整装置は、長い棹を用いて照明装置の照射方向を調整するか、又は、ステージ上方に設けられた足場に上り、直接照明部の照射方向を調整する方法がある。
【０００７】
しかし、何れの方法であっても、調整が難しい、高所等の作業環境が悪い、調整に熟練性を要する、及び、大量の照明装置の調整に人員及び時間が多く必要となる等の問題がある。そこで、照射用の照明装置に、その照射エリアを遠隔操作により変更可能な調整装置を用いる構成も知られている。
【０００８】
このような調整装置は、照明部の照射方向パン方向及びチルト方向に移動させる等の被制御機能信号の送受信に、１〜５１２ｃｈまで任意に設定可能なＲＳ４８５規格に準じたＤＭＸ５１２信号規格（以下「ＤＭＸ５１２」）が用いられる。ＤＭＸ５１２を用いた調整装置は、ＤＭＸ５１２の各チャンネル１〜５１２ｃｈに、それぞれ被制御機能信号を設定し、各チャンネルの信号を用いて、遠隔操作手段から調整装置を制御する。
【０００９】
具体的には、ＤＭＸ５１２は、チャンネル数が１〜５１２ｃｈまであるため、複数の調整装置の複数の被制御機能信号を割り振ることが可能となり、複数の照明装置を一つの遠隔操作手段で複数の調整装置の複数の被制御機能を制御可能に形成されている。
【先行技術文献】
【特許文献】
【００１０】
【特許文献１】特開平１０−１２００５号公報
【発明の概要】
【発明が解決しようとする課題】
【００１１】
上述した照明装置の調整装置では次のような問題があった。即ち、上述した遠隔操作が可能な調整装置は、ＤＭＸ５１２を用いて遠隔操作を可能とするため、１〜５１２ｃｈを操作可能な操作手段、被制御信号を送受信可能な受信装置、及び、その受信装置から各照明装置に情報を送受信させる配線がチャンネル数だけ必要となる。このため、１基の照明装置が限られた資源であるＤＭＸ５１２のチャンネルを多数占有することになることと、全ての調整可能な要素（方向・色・その他）を装備することから、重量の増大及びコストの増大となる。
【００１２】
特に、調整装置の大型化及び重量の増大となると、吊持部材に吊持可能な数が制限されるため、必要数の照明装置を配置できない、といった問題が生じる虞もある。また、遠隔操作を行う際には、チャンネル毎に操作を行う必要があり、操作が煩雑となる。
【００１３】
また、一般的に照明装置は、既に設備として大量に保持していることが多く、例えば、手動により調整する調整装置を備えた照明装置から、遠隔操作により照射エリアを照射可能な調整装置を備えた照明装置に変更する場合には、新たに購入する必要があり、莫大な設営費用が必要となる。
【００１４】
そこで本発明は、装着が容易に可能であって、且つ、ステージの準備の際に不可欠な照射位置の調整の操作性が良い、照明装置の調整装置を提供することを目的としている。
【課題を解決するための手段】
【００１５】
前記課題を解決し目的を達成するために、本発明の照明装置の調整装置は、次のように構成されている。
【００１６】
本発明の一態様として、光を照射可能に形成され、パン方向及びチルト方向に回動可能に支持部材に支持された照明部の照射方向を調整する照明装置の調整装置において、前記照明部をパン方向及びチルト方向に回動可能に支持する支持部材と、前記照明部を前記パン方向及び前記チルト方向に回動可能に形成された調整手段と、前記照明部を回動させる外部情報を入力可能、且つ、この入力された前記外部情報に基づいて前記調整手段を駆動して前記照明部を回動させる指示手段と、を備えることを特徴とする照明装置の調整装置が提供される。
【発明の効果】
【００１７】
本発明によれば、装着が容易に可能であって、且つ、照射位置の調整の操作性が良い、照明装置の調整装置とすることが可能となる。
【図面の簡単な説明】
【００１８】
【図１】本発明の一実施の形態に係る調整装置を用いた照明装置の構成を模式的に示す説明図。
【図２】同照明装置に用いられる照明本体の構成を示す斜視図。
【図３】同照明装置の要部構成を模式的に示す説明図。
【発明を実施するための形態】
【００１９】
以下、図面を参照しながら、本発明の一実施の形態に係る調整装置１０を用いた照明装置１について詳細に説明する。  
図１は本発明の一実施の形態に係る調整装置１０を用いた照明装置１の構成を模式的に示す説明図、図２は同照明装置１に用いられる照明本体４の構成を示す斜視図、図３は同照明装置１の特に調整装置１０及び遠隔操作盤５の構成を模式的に示す説明図である。なお、図１〜３中、Ｂは電源線を、Ｃは信号線、Ｅは供給電源を、Ｈは作業者を、Ｋは可視光線を、Ｌは赤外線レーザを、Ｍは無線信号を、Ｓは配線を、それぞれ示している。
【００２０】
図１に示すように、照明装置１は、舞台、テレビスタジオ、展示会等（以下「会場」として説明）のステージ１００上の所定の照射エリアに光を照射する照射用の照明装置として使用される。図１〜３に示すように、照明装置１は、ステージ１００の使用用途によって、照射用の照明装置だけでなく、ステージ１００上の光による演出用の照明装置をさらに有するものもあるが、ここでは、その詳細な説明は省略する。このような、ステージ上に光を照射する照明装置１は、吊持部材３と、照明本体４と、遠隔操作盤５と、を備えている。
【００２１】
吊持部材３は、会場の天井又は床面から立設された柱体等に設けられたトラス構造体等で構成されている。吊持部材３は、図１，２に示すように、照明本体４を複数吊下げ可能に形成されている。また、吊持部材３は、例えばステージ１００上にて上下方向に昇降可能に形成されている。
【００２２】
図１〜３に示すように、照明本体４は、複数設けられている。照明本体４は、調整装置１０と、照明部１１と、を備えている。照明本体４は、照明部１１の照射方向を調整装置１０により調整することで、任意の一点（照射エリア）に光を照射可能に形成されている。
【００２３】
調整装置１０は、支持部材１２と、受信装置１３と、を備えている。また、調整装置１０は、遠隔操作盤５を有している。調整装置１０は、遠隔操作盤５からの操作指示（被制御信号）を、受信装置１３で送受信し、この操作指示に基づいて、支持部材１２を操作し、照明部１１の照射方向を可変可能に形成されている。
【００２４】
支持部材１２は、吊持部材３に固定可能に形成されたハンガー１４と、ハンガー１４に回動可能に接続され、且つ、照明部１１を２方向に回動可能に支持するブラケット１５と、ハンガー１４に対してブラケット１５を回動可能に形成された第１回動部材１６と、ブラケット１５に対して照明部１１を回動させる第２回動部材１７と、を備えている。
【００２５】
ハンガー１４は、吊持部材３に引き掛ける引掛部１９と、引掛部１９に設けられ、引掛部１９を吊持部材３に固定させる固定部材２０と、ブラケット１５と接続する胴部２１と、を備えている。
【００２６】
引掛部１９は、吊持部材３が挿通可能な開口を有し、その一部が切欠することで、吊持部材３を挿通できるＣ字状に形成され、その一部に、雌ねじ孔を有している。
【００２７】
固定部材２０は、引掛部１９の雌ねじ孔に螺合可能に形成されたボルト部材である。固定部材２０は、雄ねじ部２０ａと、雄ねじ部２０ａの一方に設けられたつまみ部２０ｂと、雄ねじ部２０ｂの他方に設けられ、吊持部材３を押圧する端部２０ｃと、を備えている。
【００２８】
なお、固定部材２０は、つまみ部２０ｂを回転させることで、端部２０ｃが吊持部材３を押圧し、引掛部１９と端部２０ｃとにより、吊持部材３を狭持し、吊持部材３にハンガー１４を固定可能に形成されている。
【００２９】
胴部２１は、例えば、その内部にブラケット１５の一部が挿入可能な円筒状に形成され、その側面の一部に、ブラケット１５の脱落防止用の固定具２１ａが設けられている。なお、固定具２１ａは、ブラケット１５の下方向への移動を規制する規制部材であって、後述するブラケット１５のパン方向への回動を規制しない部材であればよい。なお図２中の固定具２１ａは、ネジ部材を用いた図を一例として示す。
【００３０】
ブラケット１５は、胴部２１に挿入される円柱状の第１回転軸２３と、第１回転軸２３に設けられた枠体２４と、枠体２４に設けられた第２回転軸２５と、を備えている。第１回転軸２３は、例えば、枠体２４の一部と一体に成形、又は、固定されている。第１回転軸２３は、枠体２４をパン方向に回動可能に胴部２１に固定されている。なお、第１回転軸２３は、図２に示すように、本実施の形態では、ボルトを枠体２４に一体に組み付けることで形成される構成を示しているが、この構成に限定されない。
【００３１】
枠体２４は、例えば、四辺形の一辺が切欠するコ字形に形成されている。具体的には、枠体２４は、第１回転軸２３の軸心方向と直交する方向に延設された薄板棒状の第１枠体２４ａと、第１回転軸２３の軸心方向と平行、且つ、第１枠体２４ａの両端にそれぞれ設けられた薄板棒状の第２枠体２４ｂと、を備えている。
【００３２】
第２回転軸２５は、互いに対向するように、第２枠体２４ｂの端部にそれぞれ回動可能に一対設けられている。これら第２回転軸２５は、対向間に照明部１１が固定され、その周方向に回動することで、照明部１１をチルト方向に回動可能に支持する支持軸である。即ち、第２回転軸２５は、ボルトにより構成され、それら軸心は同心上に配置される。なお、第２回転軸２５は、固定された照明部１１とともにチルト方向に回動可能に第２枠体２４ｂに軸支されている。
【００３３】
第１回動部材１６は、ハンガー１４及びブラケット１５に着脱自在に形成され、ブラケット１５をハンガー１４に対して回動可能に形成されている。具体的に説明すると、第１回動部材１６は、第１枠体２４ａに固定された第１モータ２６と、胴部２１に固定された第１プーリ２７と、第１モータ２６及び第１プーリ２７を接続する第１プーリベルト２８と、を備えている。
【００３４】
第１プーリ２７は、胴部２１に着脱自在に固定されている。即ち、第１プーリ２７は、胴部２１に、ボルトやキー等の固定手段により、胴部２１に対して回転しないように固定されており、また、固定手段による固定の解除により、胴部２１からの脱離が可能に形成されている。
【００３５】
第１回動部材１６は、第１モータ２６を駆動し、第１モータ２６の回転を第１プーリ２７に第１プーリベルト２８を介して伝達させることで、胴部２１に対して枠体２４をパン方向に回動可能に形成されている。また、第１モータ２６は、正転及び反転が可能に形成され、この正転及び反転により、枠体２４をパン方向に正転及び反転が可能に形成されている。
【００３６】
第２回動部材１７は、ブラケット１５及び照明部１１に着脱自在に形成され、照明部１１をブラケット１５に対して回動可能に形成されている。具体的に説明すると、第２回動部材１７は、第２枠体２４ｂに固定された第２モータ３２と、第２回転軸２５に固定された第２プーリ３３と、第２モータ３２及び第２プーリ３３を接続する第２プーリベルト３４と、を備えている。なお、第２プーリ３３は、第２回転軸２５に着脱自在に固定されている。
【００３７】
第２回動部材１７は、第２モータ３２を駆動し、第２モータ３２の回転を第２プーリ３３に第２プーリベルト３４を介して伝達させることで、第２回転軸２５及び第２回転軸２５に固定された照明部１１をチルト方向に回動可能に形成されている。なお、第２モータ３２は、正転及び反転が可能に形成され、この正転及び反転により、枠体２４をパン方向に正転及び反転が可能に形成されている。
【００３８】
これら第１回動部材１６及び第２回動部材１７は、調整装置１０の、照明部１１を第１回転軸２３、第２回転軸２５の軸心を回転中心として回動させることで、照明部１１の照射方向を調整する調整手段であり、照明部１１により照明する照明エリアを調整可能に形成されている。また、第１、第２回動部材１７は、第１、第２モータ２６，３２が、枠体２４に連結節２９及びねじりバネ３０等により固定されている。なお、連結節２９及びねじりバネ３０は、枠体２４と着脱可能に形成されており、これにより、第１、第２モータ２６，３２は、枠体２４から着脱自在に形成されている。
【００３９】
照明部１１は、所謂スポットライト等であり、通電することで、光を所定の照射エリアに照射可能に形成されている。具体的には、照明部１１は、その外郭を形成する筒状の外郭部材４０と、外郭部材４０の一方の開口に設けられたライト４１と、ライト４１に接続され、ライト４１に電力を供給する電源ケーブル４２と、を備えている。
【００４０】
また、照明部１１は、外郭部材４０の外周面と枠体２４との間であって、第２回転軸２５に設けられ、第２回転軸２５に第２プーリ３３及び外郭部材４０を固定可能な固定具４３を有している。
【００４１】
外郭部材４０は、その一方の開口側に、ライト４１を固定可能な座面や固定部等が形成され、ライト４１を着脱自在に形成されている。電源ケーブル４２は、供給電源Ｅに接続されている。また、電源ケーブル４２は、複数の照明本体４のライト４１に分岐して接続されている。
【００４２】
固定具４３は、例えば、第２回転軸２５と接続されるとともに、第２回転軸２５に設けられた第２プーリ３３との間に皿ばね等である。固定具４３は、第２回転軸２５を外郭部材４０側に締結（螺合）することで皿ばねを弾性変形させて第２プーリ３３及び外郭部材４０を所定の力で押圧することで、第２プーリ３３及び外郭部材４０が第２回転軸２５に対して自重でチルト方向に回動することなく、所定の角度で固定可能に形成されている。なお、固定具４３は、第２回転軸２５を螺脱させることで、第２プーリ３３及び外郭部材４０の固定を解除し、第２回転軸２５と第２プーリ３３及び外郭部材４０を脱離することが可能となる。
【００４３】
ここで、照明部１１は、例えば既にユーザーが用いているスポットライトであっても良く、また、ライト４１のみを用いる構成であってもよい。また、照明装置１は、製造時に、照明部１１に調整装置１０を設ける構成であっても、既にユーザーが使用している照明部１１に、後付で調整装置１０、又は、調整装置１０の第１、第２回動部材１６，１７、及び、受信装置１３及びを装備させる構成であってもよい。
【００４４】
受信装置１３は、図２に示すように、一方の第２枠体２４ｂの側面に設けられ、第１、第２モータ２６、３２に電気配線等の配線Ｓにより接続されている。なお、受信装置１３は、例えば、第２枠体２４ｂに、ボルトやベルト等の固定手段により着脱自在に固定されている。
【００４５】
受信装置１３は、赤外線信号Ｌを受信可能な赤外線受信部５１と、その内部に設けられた無線信号Ｍの受信が可能な受信アンテナ５２と、受信装置１３に電力を供給する供給ケーブル５３と、を備えている。なお、この供給ケーブル５３は、例えば、電源ケーブル４２の一部と分岐して形成されている。
【００４６】
このような受信装置１３は、赤外線受信部５１から受信した赤外線信号Ｌに基づいて、受信装置１３で受信する無線のチャンネル（周波数）を設定可能、且つ、この設定されたチャンネルの無線信号Ｍに基づいて、第１、第２モータ２６、３２の駆動を制御可能に形成されている。
【００４７】
具体的に説明すると、受信装置１３は、図３に示すように、電源モジュール５５と、光受信モジュール５６と、無線受信モジュール５７と、切換スイッチ５８と、を備えている。電源モジュール５５は、電源ケーブル４２から分岐した供給ケーブル５３に接続されている。
【００４８】
電源モジュール５５は、光受信モジュール５６及び無線受信モジュール５７に電源ケーブル等の電源線Ｂを介して接続され、光受信モジュール５６及び無線受信モジュール５７に電力を供給可能に形成されている。電源モジュール５５は、ＡＣ電源である供給電源Ｅから供給された交流電流を直流電流に変換可能に形成されている。
【００４９】
光受信モジュール５６は、電源モジュール５５に接続され、電源モジュール５５から直流電流が供給される。光受信モジュール５６は、無線受信モジュール５７とバスライン等の信号線Ｃにより接続され、受信した無線のチャンネルの設定情報を無線受信モジュール５７に送信可能に形成されている。光受信モジュール５６は、赤外線受信部５１を有しており、この赤外線受信部５１に放射された赤外線信号Ｌを、赤外線受信部５１を介して受信可能に形成されている。
【００５０】
なお、赤外線受信部５１を介して受信する赤外線信号Ｌは、主として、無線受信モジュール５７が受信する無線のチャンネルの設定情報である。また、光受信モジュール５６は、無線のチャンネルの設定情報を受信後、電源モジュール５５と無線受信モジュール５７とを導通するように切換スイッチ５８を切換可能に形成されている。即ち、光受信モジュール５６は、切換スイッチ５８を切り換えることで、無線受信モジュール５７に電力を供給し、無線受信モジュール５７を起動（ＯＮ）することが可能に形成されている。
【００５１】
無線受信モジュール５７は、電源モジュール５５及び光受信モジュール５６と接続されている。また、無線受信モジュール５７は、第１、第２モータ２６、３２と配線Ｓを介して接続され、電源モジュール５５から供給された電力を第１、第２モータ２６、３２へと供給可能に形成されている。
【００５２】
また、無線受信モジュール５７は、無線信号Ｍを受信可能な受信アンテナ５２を有し、この受信アンテナ５２により、光受信モジュール５６に送信されたチャンネルの無線信号Ｍを受信可能な受信アンテナ５２を有している。
【００５３】
無線受信モジュール５７は、受信アンテナ５２で受信した無線信号Ｍに基づいて、第１、第２モータ２６、３２の駆動・停止及び正転・逆転を制御可能に形成されている。また、無線受信モジュール５７は、遠隔操作盤５からの無線信号Ｍにより、切換スイッチ５８の切り換えが可能に形成されている。
【００５４】
切換スイッチ５８は、電源モジュール５５及び無線受信モジュール５７との間の電源線Ｂ上に設けられ、この電源線Ｂの導通及び非導通を切換可能に形成されている。
【００５５】
遠隔操作盤５は、例えば、作業者Ｈが持ち運び可能な形状に形成されている。この遠隔操作盤５は、無線チャンネル設定モジュール６１と、光送信モジュール６２と、無線送信モジュール６３と、可視光源６４と、赤外線源６５と、を備えている。また、遠隔操作盤５には、図示しない電力供給源、例えば、バッテリ等を備え、各構成品に電力を供給可能に形成されている。
【００５６】
無線チャンネル設定モジュール６１は、第１操作部６６を備えている。無線チャンネル設定モジュール６１は、第１操作部６６の操作により、任意の無線のチャンネルを設定可能に形成されている。
【００５７】
また、無線チャンネル設定モジュール６１は、設定したチャンネルの情報を、バスライン等の信号線Ｃを介して光送信モジュール６２及び無線送信モジュール６３に送信可能に、光送信モジュール６２及び無線送信モジュール６３に信号線Ｃを介してそれぞれ接続されている。
【００５８】
光送信モジュール６２は、可視光レーザ等の可視光線Ｋを放射可能な可視光源６４と、赤外線信号Ｌを赤外線レーザＬとして放射可能な赤外線源６５と、可視光源６４の操作を行う第２操作部６７と、赤外線源６５の操作を行う第３操作部６８と、を備えている。第２操作部６７は、操作することで、可視光源６４からの可視光線Ｋの放射・停止の切り替えが可能に形成されている。第３操作部６８は、操作することで、赤外線源６５からの赤外線レーザＬの放射・停止の切換が可能に形成されている。
【００５９】
また、第２操作部６７は、第３操作部６８の赤外線信号Ｌにより無線の送受信を行うチャンネルの情報の送信及び受信モジュール５７のＯＮの指令を送信するスイッチに形成されており、第２操作部６７の操作後に、第３操作部６８を操作可能に形成されている。
【００６０】
可視光源６４は、少なくとも、吊持部材３に吊下げられた照明本体４の受信装置１３に可視光線Ｋを照射時に、照射スポットが視認可能に形成されている。
【００６１】
赤外線源６５は、赤外線受信部５１に放射する赤外線レーザＬのスポット直径が、少なくとも赤外線受信部５１よりも大であって、且つ、隣接する照明本体４との距離よりも小さい（隣接する照明本体の赤外線受信部５１に照射されない）スポット直径に形成されている。また、赤外線源６５は、指向性の高い赤外線レーザＬを放射可能、且つ、迷光信号による誤動作を防止可能な、特定のフォーマットを有する赤外線帯域のパルスによる光信号を送信可能に形成されている。
【００６２】
なお、可視光源６４及び赤外線源６５は、可視光線Ｋの放射方向と赤外線レーザＬの放射方向とが略同一方向（平行）に沿って放射可能、即ち、可視光線Ｋと赤外線レーザＬとが、略同一位置に照射可能に、遠隔操作盤５に配置されている。
【００６３】
無線送信モジュール６３は、第１モータ２６の回転方向の正転を指示する第４操作部６９と、第１モータ２６の回転方向の反転を指示する第５操作部７０と、第２モータ３２の回転方向の正転を指示する第６操作部７１と、第２モータ３２の回転方向の反転を指示する第７操作部７２と、を備えている。即ち、無線送信モジュール６３は、少なくとも第１回動部材１６及び第２回動部材１７による照明部１１の回動指示（調整手段の駆動指示）である外部情報を、第４操作部６９〜第７操作部７２により入力可能に形成されている。
【００６４】
また、無線送信モジュール６３は、切換スイッチ５８を切り換えて、電源モジュール５５及び無線受信モジュール５７の電源線Ｂの遮断し、電源線Ｂの電気的接続の切断（受信装置１３のリセット）を行う第８操作部７３を備えている。
【００６５】
無線送信モジュール６３は、受信アンテナ５２へ無線信号Ｍを送信する送信アンテナ７５を備えている。無線送信モジュール６３は、第４操作部６９〜第８操作部７３の操作情報（外部情報）を無線信号Ｍに変換可能に形成され、この変換した無線信号Ｍを、送信アンテナ７５を介して受信アンテナ５２へ送信可能に形成されている。
【００６６】
なお、無線送信モジュール６３は、調整装置１０で用いられる無線の複数のチャンネルのいずれかの帯域幅内で、各操作部６９〜７３の操作情報を変換可能な無線信号Ｍを送信可能に形成されている。
【００６７】
なお、無線受信モジュール５７、無線チャンネル設定モジュール６１及び無線送信モジュール６３で用いられる無線規格は、外部情報である第１モータ２６及び第２モータ３２の正転及び逆転の外部情報、及び、受信装置１３のリセットが可能な５種類の信号を送受信可能な帯域幅を有するものであればよい。また、同無線規格は、複数の遠隔操作盤５により、任意の受信装置１３を有する照明本体４を操作可能なよう、複数のチャンネルを使用可能な規格を用いる。
【００６８】
これらの遠隔操作盤５及び受信装置１３は、外部情報、例えば、作業者Ｈ等による調整手段の駆動・停止や任意の無線のチャンネルの指示等の外部情報を遠隔操作盤５の各操作部６６〜７３を操作して入力して、各構成品に指示を行う指示手段である。
【００６９】
このように構成された照明装置１に用いられる調整装置１０は、遠隔操作盤５の第１操作部６６〜第８操作部７３を操作することで、第１、第２回動部材１６，１７により照明部１１を回動させてライト４１の照射方向を調整し、ステージ１００上の任意の照明エリアを照射することが可能となる。次に、照明装置１の操作方法である、調整装置１０を用いた照明部１１の照射方向の調整方法を説明する。
【００７０】
先ず、照明本体４により照射エリアを設定する作業者Ｈ等が、遠隔操作盤５の第１操作部６６により、任意のチャンネルを選択する。無線チャンネル設定モジュール６１は、その選択されたチャンネルの無線信号Ｍを、無線受信モジュール５７が受信可能とするために、選択されたチャンネルに制御用変調をかける指示信号を、光送信モジュール６２に送信する。
【００７１】
また、無線チャンネル設定モジュール６１は、送信アンテナ７５から送信する無線のチャンネルを選択されたチャンネルに制御用変調をかけて変更するための指示信号を、無線送信モジュール６３に送信する。なお、無線送信モジュール６３は、受信した指示信号により、指示信号により指示された無線のチャンネルで第４操作部６９〜第８操作部７３の操作情報を送信アンテナ７５から送信させる。
【００７２】
光送信モジュール６２は、光受信モジュール５６へ指示信号を送信し、この指示信号を受信した光受信モジュール５６により、無線受信モジュール５７の電源をＯＮとし、無線受信モジュール５７の受信可能な無線のチャンネルを、作業者Ｈが任意に選択したチャンネルに設定する。
【００７３】
具体的には、先ず、無線チャンネルを選択後、作業者Ｈが、第２操作部６７を操作して、可視光源６４から可視光線Ｋを放射し、設定を行う照明本体４の受信装置１３に可視光線Ｋを照射させ、赤外線源６５の向きを受信装置１３の赤外線受信部５１に向ける。即ち、赤外線レーザＬの放射方向の指向として、ガイド光である可視光線Ｋを受信装置１３に照射させて、赤外線レーザＬの放射方向を決定し、確実に赤外線レーザＬを赤外線受信部５１に受信させる。
【００７４】
次に、作業者Ｈは第３操作部６８を操作し、赤外線源６５から、無線受信モジュール５７に受信させる無線のチャンネルを、任意に選択したチャンネルに変更する指示信号、及び、切換スイッチ５８を切り換える指示信号である赤外線レーザＬを赤外線受信部５１へ照射する。
【００７５】
この照射された赤外線レーザＬが赤外線受信部５１で受信されると、光受信モジュール５６は、受信した赤外線レーザＬ（指示信号）に基づいて、切換スイッチ５８を切り換える。これにより、電源モジュール５５と無線受信モジュール５７との電源線Ｂが通電し、無線受信モジュール５７に電力が供給されて、無線受信モジュール５７が起動する。また、光受信モジュール５６は、無線受信モジュール５７を起動後、信号線Ｃを介して受信した指示信号を無線受信モジュール５７に送信する。無線受信モジュール５７は、受信した指示信号に従って、受信する無線のチャンネルを変更する。
【００７６】
このように、無線受信モジュール５７及び無線送信モジュール６３で使用する無線のチャンネルを、任意に選択されたチャンネルに設定する。次に、無線送信モジュール６３の第４〜第７操作部６９〜７２を操作し、照明部１１をパン方向及びチルト方向に回動させて、照明部１１の照射エリアの設定が行われる。
【００７７】
具体的には、作業者Ｈは、照明部１１を視認するとともに、任意の照射エリアにライト４１を向けるように、無線送信モジュール６３の第４〜第７操作部６９〜７２を操作する。無線送信モジュール６３は、第４〜第７操作部６９〜７２の操作指示を設定されたチャンネルの無線信号Ｍに変換するとともに、送信アンテナ７５から無線信号Ｍを送信する。
【００７８】
送信アンテナ７５から送信された無線信号Ｍと同一のチャンネルに設定された無線受信モジュール５７は、送信された無線信号Ｍを、受信アンテナ５２を介して受信する。無線受信モジュール５７は、受信した無線信号Ｍに基づいて、第１、第２モータ２６、３２の正転・逆転及び停止のいずれかを行い、照明部１１をパン方向及びチルト方向に回動させる。この操作により、照明部１１は、ライト４１の照射方向が可動し、光の照射エリアが任意の照射エリアに調整される。
【００７９】
このようにして、照明部１１の照射エリアを設定後、作業者Ｈは、第８操作部７３を操作し、無線送信モジュール６３により、切換スイッチ５８の切換を行う無線信号Ｍを受信アンテナ５２へと送信する。
【００８０】
受信アンテナ５２で送信アンテナ７５から送信された無線信号Ｍを受信すると、無線受信モジュール５７は、切換スイッチ５８を切断側に切り換えて、無線受信モジュール５７への電力の供給を停止する。即ち、無線受信モジュール５７が停止し、受信装置１３がリセットされることとなる。なお、第８操作部７３の操作がなくとも、照明部１１のライト４１への電力の供給が停止する、即ち、光の照射を終了すると、ライト４１に並列に接続されている受信装置１３の電力の供給も停止し、受信装置１３がリセットされることとなる。
【００８１】
このような手順を各照明本体４にて繰返し行うことで、ステージ１００上に設けられた照明本体４の照射エリアの調整が行われる。なお、近接する照明本体４であって、略同一エリアを照射する複数の照明本体４の照射エリアの調整を行う場合には、これら照明本体４の無線受信モジュール５７で受信可能な無線のチャンネルを同一チャンネルとすることで、複数の照明部１１の方向を同時に調整することができる。
【００８２】
このように構成された照明装置１の調整装置１０によれば、照明本体４を遠隔操作盤５により操作することで、照明部１１を任意にパン方向及び／又はチルト方向に回動させて、照明部１１の照射エリアを遠隔操作により設定することが可能となる。特に、高所に配置される照明本体４の操作を、高所作業により操作する必要がなく、安全に作業可能となるとともに、作業時間の短縮にもなる。即ち、照明部１１の照射エリアの設定作業の作業性を向上することが可能となる。
【００８３】
また、無線チャンネル設定モジュール６１により、任意の無線のチャンネルを選択し、この選択したチャンネルを、任意の照明本体４の無線受信モジュール５７に設定することで、任意のチャンネルにより、照明部１１の照射エリアの設定が可能となる。また、複数の照明本体４の無線のチャンネルを同一チャンネルに設定することで、一台の遠隔操作盤５を用いて、同時に複数の照明部１１の照射エリアの設定も可能となる。
【００８４】
さらに、赤外線レーザＬにより、無線受信モジュール５７の無線のチャンネルを設定する場合には、チャンネルを設定する受信装置１３に可視光線Ｋを当てることで、赤外線源６５の放射方向を確実に赤外線受信部５１に向けることが可能となる。これにより、視認できない赤外線レーザＬを確実に赤外線受信部５１に向けることが可能となり、任意の照明本体４の受信装置１３の設定が確実に行うことが可能となる。即ち、他の照明本体４の受信装置１３の誤設定を防止可能となる。
【００８５】
また、上述した照明本体４の調整を行う照射エリアの調整手段である、第１回動部材１６及び第２回動部材１７は、枠体２４に着脱自在に固定され、照明本体４の照明部１１を回動させる２軸を回動可能に構成されている。このため、従来から一般的に販売されている照射用であって、任意の照射エリアを手動で調整するスポットライト等の照明装置に後付で取り付けることが可能であり、汎用性が高い。具体的には、支持部材を既に有する照明装置には、調整手段及び操作手段である、第１、第２回動部材１６，１７及び受信装置１３を支持部材に後付けで設ければよく、支持部材を有さないライトのみの照明装置の場合には、外郭部材４０にライト４１を固定させ、ライトの電源ケーブルと受信装置１３の供給ケーブル５３とを直列に接続すればよい。このように、製造時において調整装置１０を照明装置１に取り付けるだけでなく、既に設営されている各照明装置（照明部やライト等）に後付けで組み付けることも可能となる。
【００８６】
なお、従来から用いられている演出用の照明装置とは異なり、その機能は、照明本体の照射エリアを調整することに使用されるだけであるため、その受信装置１３及び遠隔操作盤５は、ＤＭＸ５１２規格に準じた調整装置を用いた従来の照明装置と比較して安価となる。このため、本調整装置１０は、ＤＭＸ５１２を用いた従来の調整装置に比べ、安価に提供することができる。
【００８７】
また、供給ケーブル５３は、電源ケーブル４２の一部から分岐することで形成しており、必要な供給ケーブル５３の長さは、照明部１１から受信装置１３までの長さでよい。このため、供給ケーブル５３の長さを短くすることが可能となり、供給ケーブル５３の重量の低減が可能となる。
【００８８】
特に、大量に照明本体４が用いられると、各ケーブルの重量は膨大なものとなる。このため、安全性の観点から、吊持部材３に吊持可能な重量に制限が設けられていることが多く、ケーブルの重量によっては吊持可能な照明本体４の数量が制限されることがある。しかし、供給ケーブル５３の重量を低減さえることで、吊持部材３に吊持可能な照明本体４の数量を極力や増大させることが可能となる。
【００８９】
また、供給ケーブル５３の長さを短くすることで、設営時の作業性を向上させることも可能となる。特に従来のＤＭＸ５１２規格に準じた調整装置と比べると、各チャンネル毎のケーブルを配線する必要もないことから、この従来の調整装置と比較しても、重量の軽減及び作業性の向上となる。さらに、無線受信チャンネルの数の範囲内であれば、複数の作業員が同時に別個の照明装置１０に対して調整作業を行うことができる。
【００９０】
上述したように本実施の形態に係る調整装置１０によれば、複数設けられた照明本体４の照射エリアを、遠隔操作により任意に設定可能となり、高所作業を防止し、安全性、且つ、作業性を向上することが可能となる。また、無線受信モジュール５７及び無線送信モジュール６３で送受信する無線のチャンネルを任意に変更可能とすることで、他の構成品との無線信号Ｍの干渉、及び、確実に任意の照明本体４の操作が可能となる。
【００９１】
また、上述した例では、吊持部材３は、トラス構造体として説明したがこれに限定されない。例えば、天井に延設されたパイプであっても良く、また、照明本体４を直接吊持可能な天井であってもよい。即ち、吊持部材３は、照明本体４を吊持可能であれば、どのような構成であってもよい。この他、本発明の要旨を逸脱しない範囲で種々変形実施可能である。
【符号の説明】
【００９２】
１…照明装置、３…吊持部材、４…照明本体、５…遠隔操作盤（指示手段）、１０…調整装置、１１…照明部、１２…支持部材、１３…受信装置（指示手段）、１４…ハンガー、１５…ブラケット、１６…第１回動部材（調整手段）、１７…第２回動部材（調整手段）、１９…引掛部、２０…固定部材、２０ａ…雄ねじ部、２０ｂ…つまみ部、２０ｃ…端部、２１…胴部、２１ａ…固定具、２３…第１回転軸、２４…枠体、２４ａ…第１枠体、２４ｂ…第２枠体、２５…第２回転軸、２６…第１モータ、７…第１プーリ、２８…第１プーリベルト、２９…連結節、３０…バネ、３２…第２モータ、３３…第２プーリ、３４…第２プーリベルト、４０…外郭部材、４１…ライト、４２…電源ケーブル、４３…固定具、５１…赤外線受信部、５２…受信アンテナ、５３…供給ケーブル、５５…電源モジュール、５６…光受信モジュール、５７…無線受信モジュール、５８…切換スイッチ、６１…無線チャンネル設定モジュール、６２…光送信モジュール、６３…無線送信モジュール、６４…可視光源、６５…赤外線源、６６…第１操作部、６７…第２操作部、６８…第３操作部、６９…第４操作部、７０…第５操作部、７１…第６操作部、７２…第７操作部、７３…第８操作部、７５…送信アンテナ、１００…ステージ、Ｂ…電源線、Ｃ…信号線、Ｅ…供給電源、Ｈ…作業者、Ｋ…可視光線、Ｌ…赤外線レーザ（指示信号）、Ｓ…配線。
【図１】
2011192548.tif 000003
【図２】
2011192548.tif 000004
【図３】
2011192548.tif 000005